(57)【特許請求の範囲】
【請求項１】
浮体式桟橋と岸壁等との間の通行に用いられる連絡橋構造体であって、
前記浮体式桟橋と前記岸壁等との間に架設される連絡橋と、
前記連絡橋と前記浮体式桟橋との間に設置される、気密性及び可撓性を有する袋体と、
前記連絡橋が前記袋体に支持されるように、前記浮体式桟橋と前記岸壁等との高低差に応じて前記袋体の内部に注入する気体の圧力を制御するための制御手段とを備え、
前記袋体は、複数個、前記連絡橋の長さ方向に並べて設置され、
複数の前記袋体のそれぞれの内部を同一の圧力まで加圧したときに、前記高低差に応じて前記連絡橋が傾斜するように、より前記岸壁等の近くに設置される前記袋体ほど、より高さが得られる形状を有する、連絡橋構造体。
【請求項２】
前記複数の袋体は、前記袋体の内部を減圧したときに生じる水平方向への膨れに基づいて離間して配置される、請求項１記載の連絡橋構造体。
【請求項３】
浮体式桟橋と岸壁等との間の通行に用いられる連絡橋構造体であって、
前記浮体式桟橋と前記岸壁等との間に架設される連絡橋と、
前記連絡橋と前記浮体式桟橋との間に設置される、気密性及び可撓性を有する袋体と、
前記連絡橋が前記袋体に支持されるように、前記浮体式桟橋と前記岸壁等との高低差に応じて前記袋体の内部に注入する気体の圧力を制御するための制御手段と、
前記浮体式桟橋において設置される発泡材とを備え、
前記袋体は、前記発泡材の上に設置される、連絡橋構造体。
【請求項４】
浮体式桟橋と岸壁等との間の通行に用いられる連絡橋構造体であって、
前記浮体式桟橋と前記岸壁等との間に架設される連絡橋と、
前記連絡橋と前記浮体式桟橋との間に設置される、気密性及び可撓性を有する袋体と、
前記連絡橋が前記袋体に支持されるように、前記浮体式桟橋と前記岸壁等との高低差に応じて前記袋体の内部に注入する気体の圧力を制御するための制御手段とを備え、
前記制御手段は、前記連絡橋から生じる荷重を支持するための前記袋体からの反力が前記袋体と前記連絡橋との所望の接触範囲で生じるように、前記注入する気体の圧力を制御する、連絡橋構造体。
【請求項５】
浮体式桟橋と岸壁等との間の通行に用いられる連絡橋構造体であって、
前記浮体式桟橋に設置される第１連絡橋と、
前記第１連絡橋と前記岸壁等との間に架設される第２連絡橋と、
前記第２連絡橋と前記浮体式桟橋との間に設置される、気密性及び可撓性を有する袋体と、
前記第２連絡橋が前記袋体に支持されるように、前記浮体式桟橋と前記岸壁等との高低差に応じて前記袋体の内部に注入する気体の圧力を制御するための制御手段とを備えた、連絡橋構造体。
【請求項６】
前記浮体式桟橋において少なくとも前記第２連絡橋の下方に設置される発泡材を備え、
前記袋体は、前記発泡材の上に設置される、請求項５記載の連絡橋構造体。
【請求項７】
前記発泡材は、前記浮体式桟橋と前記第１連絡橋との間の高さに応じた厚みを有しており、前記第１連絡橋を支持するように設置される、請求項６記載の連絡橋構造体。
【請求項８】
前記袋体は、複数個、前記第２連絡橋の長さ方向に並べて設置され、
複数の前記袋体のそれぞれの内部を同一の圧力まで加圧したときに、前記高低差に応じて前記第２連絡橋が傾斜するように、より前記岸壁等の近くに設置される前記袋体ほど、より高さが得られる形状を有する、請求項５から７のいずれかに記載の連絡橋構造体。
【請求項９】
前記複数の袋体は、前記袋体の内部を減圧したときに生じる水平方向への膨れに基づいて離間して配置される、請求項８記載の連絡橋構造体。
【請求項１０】
前記制御手段は、前記第２連絡橋から生じる荷重を支持するための前記袋体からの反力が前記袋体と前記連絡橋との所望の接触範囲で生じるように、前記注入する気体の圧力を制御する、請求項５から９のいずれかに記載の連絡橋構造体。
【請求項１１】
前記袋体は、略円筒形状に構成され、
前記略円筒形状の軸方向が、水平方向に沿う方向であって、前記岸壁への接岸方向と垂直な方向になるように設置される、請求項１から１０のいずれかに記載の連絡橋構造体。
【請求項１２】
浮体式桟橋と岸壁等との間の通行に用いられる連絡橋構造体であって、
前記浮体式桟橋と前記岸壁等との間に架設される連絡橋と、
前記連絡橋と前記浮体式桟橋との間に設置される、気密性及び可撓性を有する袋体と、
前記連絡橋が前記袋体に支持されるように、前記浮体式桟橋と前記岸壁等との高低差に応じて前記袋体の内部に注入する気体の圧力を制御するための制御手段とを備え、
前記袋体は、略円筒形状に構成され、
前記略円筒形状の軸方向が、水平方向に沿う方向であって、前記岸壁への接岸方向と垂直な方向になるように設置される、連絡橋構造体。
【発明の詳細な説明】
【技術分野】
【０００１】
この発明は連絡橋構造体に関し、特に、埠頭や岸壁、海岸等と沖合との間に架設して用いられる連絡橋構造体に関するものである。
【背景技術】
【０００２】
水面や海面に浮かぶ浮体式桟橋と岸壁との間を往来するために連絡橋が用いられる（特許文献１：図２等）。このような連絡橋は、干満や波浪等による水面や海面の昇降に追従することが望まれる。
【０００３】
そこで、岸壁にヒンジを設けて岸壁及び浮体式桟橋間の往来に支障のない角度が得られるような連絡橋や（特許文献２）、岸壁側に浮遊橋台を昇降可能に設けることなどが提案されている（特許文献３）。
【０００４】
しかしながら、このような従来技術では、地震や津波などにより岸壁が損傷を受けた場合、岸壁に設けたヒンジが損傷して角度の調整ができなくなったり、浮遊橋台が破壊されてしまったりして、連絡橋の使用に支障がでてしまうことがある。
【０００５】
このため、浮体式桟橋にスロープ台などからなる連絡橋を設置して、岸壁及び浮体式桟橋間を往来することが提案されている（特許文献４）。
【先行技術文献】
【特許文献】
【０００６】
【特許文献１】特開平５−２８７７１９号公報
【特許文献２】特開平７−１８６２８号公報
【特許文献３】特開２０１３−３６２０８号公報
【特許文献４】特開２０１３−２１３３９２号公報
【発明の概要】
【発明が解決しようとする課題】
【０００７】
しかしながら、特許文献４に記載の技術では、干潮時等の水面と岸壁との高低差が変化してしまうと、容易にはこの変化に追従できなかった。
【０００８】
この発明は、上記のような課題を解決するためになされたもので、海面の潮位等に応じた連絡橋の追従が容易となる連絡橋構造体を提供することを目的とする。
【課題を解決するための手段】
【０００９】
上記の目的を達成するために、請求項１記載の発明は、浮体式桟橋と岸壁等との間の通行に用いられる連絡橋構造体であって、浮体式桟橋と岸壁等との間に架設される連絡橋と、連絡橋と浮体式桟橋との間に設置される、気密性及び可撓性を有する袋体と、連絡橋が袋体に支持されるように、浮体式桟橋と岸壁等との高低差に応じて袋体の内部に注入する気体の圧力を制御するための制御手段とを備え、袋体は、複数個、連絡橋の長さ方向に並べて設置され、複数の袋体のそれぞれの内部を同一の圧力まで加圧したときに、高低差に応じて連絡橋が傾斜するように、より岸壁等の近くに設置される袋体ほど、より高さが得られる形状を有するものである。
【００１０】
このように構成すると、袋体の内部の気体の圧力により支持状態が変化する。又、複数の袋体のそれぞれの内部を同一の圧力まで加圧すれば、連絡橋が傾斜した状態で支持できる。
【００１３】
請求項２記載の発明は、請求項１記載の発明の構成において、複数の袋体は、袋体の内部を減圧したときに生じる水平方向への膨れに基づいて離間して配置されるものである。
【００１４】
このように構成すると、減圧時に隣り合う袋体が水平方向の膨れによって干渉することを防ぐことができる。
【００１５】
請求項３記載の発明は、浮体式桟橋と岸壁等との間の通行に用いられる連絡橋構造体であって、浮体式桟橋と岸壁等との間に架設される連絡橋と、連絡橋と浮体式桟橋との間に設置される、気密性及び可撓性を有する袋体と、連絡橋が袋体に支持されるように、浮体式桟橋と岸壁等との高低差に応じて袋体の内部に注入する気体の圧力を制御するための制御手段と、浮体式桟橋において設置される発泡材とを備え、袋体は、発泡材の上に設置されるものである。
【００１６】
このように構成すると、袋体の内部の気体の圧力により支持状態が変化する。又、袋体が発泡材の高さをベースとして設置されるため、連絡橋構造体全体の高さは、袋体の高さと発泡材の高さとを合わせた高さになる。
【００１７】
請求項４記載の発明は、浮体式桟橋と岸壁等との間の通行に用いられる連絡橋構造体であって、浮体式桟橋と岸壁等との間に架設される連絡橋と、連絡橋と浮体式桟橋との間に設置される、気密性及び可撓性を有する袋体と、連絡橋が袋体に支持されるように、浮体式桟橋と岸壁等との高低差に応じて袋体の内部に注入する気体の圧力を制御するための制御手段とを備え、制御手段は、連絡橋から生じる荷重を支持するための袋体からの反力が袋体と連絡橋との所望の接触範囲で生じるように、注入する気体の圧力を制御するものである。
【００１８】
このように構成すると、袋体の内部の気体の圧力により支持状態が変化する。又、袋体の内圧による負荷を制御できる。
【００１９】
請求項５記載の発明は、浮体式桟橋と岸壁等との間の通行に用いられる連絡橋構造体であって、浮体式桟橋に設置される第１連絡橋と、第１連絡橋と岸壁等との間に架設される第２連絡橋と、第２連絡橋と浮体式桟橋との間に設置される、気密性及び可撓性を有する袋体と、第２連絡橋が袋体に支持されるように、浮体式桟橋と岸壁等との高低差に応じて袋体の内部に注入する気体の圧力を制御するための制御手段とを備えたものである。
【００２０】
このように構成すると、連絡橋構造体全体の高さは複数の連絡橋の高さを足したものになるため、連絡橋構造体全体の高さを大きくできる。
【００２１】
請求項６記載の発明は、請求項５記載の発明の構成において、浮体式桟橋において少なくとも第２連絡橋の下方に設置される発泡材を備え、袋体は、発泡材の上に設置されるものである。
【００２２】
このように構成すると、袋体が発泡材の高さをベースとして設置されるため、連絡橋構造体全体の高さは、袋体の高さと発泡材の高さとを合わせた高さになる。
【００２３】
請求項７記載の発明は、請求項６記載の発明の構成において、発泡材は、浮体式桟橋と第１連絡橋との間の高さに応じた厚みを有しており、第１連絡橋を支持するように設置されるものである。
【００２４】
このように構成すると、発泡材によって、第１連絡橋が支持される。
【００２５】
請求項８記載の発明は、請求項５から７のいずれかに記載の発明の構成において、袋体は、複数個、第２連絡橋の長さ方向に並べて設置され、複数の袋体のそれぞれの内部を同一の圧力まで加圧したときに、高低差に応じて第２連絡橋が傾斜するように、より岸壁等の近くに設置される袋体ほど、より高さが得られる形状を有するものである。
【００２６】
このように構成すると、複数の袋体のそれぞれの内部を同一の圧力まで加圧すれば、連絡橋が傾斜した状態で支持できる。
【００２７】
請求項９記載の発明は、請求項８記載の発明の構成において、複数の袋体は、袋体の内部を減圧したときに生じる水平方向への膨れに基づいて離間して配置されるものである。
【００２８】
このように構成すると、減圧時に隣り合う袋体が水平方向の膨れによって干渉することを防ぐことができる。
【００２９】
請求項１０記載の発明は、請求項５から９のいずれかに記載の発明の構成において、制御手段は、第２連絡橋から生じる荷重を支持するための袋体からの反力が袋体と連絡橋との所望の接触範囲で生じるように、注入する気体の圧力を制御するものである。
【００３０】
このように構成すると、袋体の内圧による負荷を制御できる。
【００３１】
請求項１１記載の発明は、請求項１から１０のいずれかに記載の発明の構成において、袋体は、略円筒形状に構成され、略円筒形状の軸方向が、水平方向に沿う方向であって、岸壁への接岸方向と垂直な方向になるように設置されるものである。
【００３２】
このように構成すると、軸方向の設置が安定するとともに高さの制御が容易となる。
請求項１２記載の発明は、浮体式桟橋と岸壁等との間の通行に用いられる連絡橋構造体であって、浮体式桟橋と岸壁等との間に架設される連絡橋と、連絡橋と浮体式桟橋との間に設置される、気密性及び可撓性を有する袋体と、連絡橋が袋体に支持されるように、浮体式桟橋と岸壁等との高低差に応じて袋体の内部に注入する気体の圧力を制御するための制御手段とを備え、袋体は、略円筒形状に構成され、略円筒形状の軸方向が、水平方向に沿う方向であって、岸壁への接岸方向と垂直な方向になるように設置されるものである。
このように構成すると、袋体の内部の気体の圧力により支持状態が変化する。又、軸方向の設置が安定するとともに高さの制御が容易となる。
【発明の効果】
【００３３】
以上説明したように、請求項１記載の発明は、袋体内部の気体の圧力により支持状態が変化するので、海面の潮位等の水位に応じた連絡橋の追従が容易となる。又、複数の袋体のそれぞれの内部を同一の圧力まで加圧すれば連絡橋が傾斜するため、高低差に追従するための制御が簡略化される。
【００３５】
請求項２記載の発明は、請求項１記載の発明の効果に加えて、減圧時に隣り合う袋体が水平方向の膨れによって干渉することを防ぐことができるため、干渉による袋体の変形により高さ制御の精度が低下することを防ぐことができる。
【００３６】
請求項３記載の発明は、袋体内部の気体の圧力により支持状態が変化するので、海面の潮位等の水位に応じた連絡橋の追従が容易となる。又、袋体を小さくしても、袋体の高さと発泡材の高さとを合わせた高さを基準に高低差に追従できる。
【００３７】
請求項４記載の発明は、袋体内部の気体の圧力により支持状態が変化するので、海面の潮位等の水位に応じた連絡橋の追従が容易となる。又、袋体の耐久性を向上させることができる。
【００３８】
請求項５記載の発明は、連絡橋の高さを大きくできるため、岸壁との高低差が大きい場合でも対応可能となる。
【００３９】
請求項６記載の発明は、請求項５記載の発明の効果に加えて、袋体を小さくしても、袋体の高さと発泡材の高さとを合わせた高さにより高低差に追従できる。
【００４０】
請求項７記載の発明は、請求項６記載の発明の効果に加えて、発泡材によって第１連絡橋が支持されるため、第１連絡橋の支持構造の軽量化を図ることができる。
【００４１】
請求項８記載の発明は、請求項５から７のいずれかに記載の発明の効果に加えて、複数の袋体のそれぞれの内部を同一の圧力まで加圧すれば連絡橋が傾斜するため、高低差に追従するための制御が簡略化される。
【００４２】
請求項９記載の発明は、請求項８記載の発明の効果に加えて、減圧時に隣り合う袋体が水平方向の膨れによって干渉することを防ぐことができるため、干渉による袋体の変形により高さ制御の精度が低下することを防ぐことができる。
【００４３】
請求項１０記載の発明は、請求項５から９のいずれかに記載の発明の効果に加えて、袋体の耐久性を向上させることができる。
【００４４】
請求項１１記載の発明は、請求項１から１０のいずれかに記載の発明の効果に加えて、軸方向の設置が安定するとともに高さの制御が容易となるため、連絡橋をより安定的に支持することができる。
請求項１２記載の発明は、袋体内部の気体の圧力により支持状態が変化するので、海面の潮位等の水位に応じた連絡橋の追従が容易となる。又、軸方向の設置が安定するとともに高さの制御が容易となるため、連絡橋をより安定的に支持することができる。
【図面の簡単な説明】
【００４５】
【図１】この発明の第１の実施の形態による連絡橋構造体の水位変化前の使用状態を示す模式的側面図である。
【図２】この発明の第１の実施の形態による連絡橋構造体の水位変化後の使用状態を示す模式的側面図である。
【図３】この発明の第１の実施の形態による連絡橋構造体のＫ−Ｋラインにおける水位変化前後の模式的拡大断面図である。
【図４】この発明の第２の実施の形態による連絡橋構造体の水位変化前の使用状態を示す模式的側面図である。
【図５】この発明の第２の実施の形態による連絡橋構造体の水位変化後の使用状態を示す模式的側面図である。
【図６】この発明の第３の実施の形態による連絡橋構造体の水位変化前の使用状態を示す模式的側面図である。
【図７】この発明の第３の実施の形態による連絡橋構造体の水位変化後の使用状態を示す模式的側面図である。
【図８】この発明の第４の実施の形態による連絡橋構造体の水位変化前の使用状態を示す模式的側面図である。
【図９】この発明の第４の実施の形態による連絡橋構造体の水位変化後の使用状態を示す模式的側面図である。
【図１０】この発明の第５の実施の形態による連絡橋構造体の水位変化前の使用状態を示す模式的側面図である。
【図１１】この発明の第５の実施の形態による連絡橋構造体の水位変化後の使用状態を示す模式的側面図である。
【図１２】この発明の第６の実施の形態による連絡橋構造体の使用状態を示す模式的側面図である。
【図１３】この発明の第７の実施の形態による連絡橋構造体の水位変化前の使用状態を示す模式的側面図である。
【図１４】この発明の第７の実施の形態による連絡橋構造体の水位変化後の使用状態を示す模式的側面図である。
【図１５】この発明の第８の実施の形態による連絡橋構造体に係る袋体の形状を示す側面図である。
【発明を実施するための形態】
【００４６】
図１は、この発明の第１の実施の形態による連絡橋構造体の水位変化前の使用状態を示す模式的側面図であり、図２は、この発明の第１の実施の形態による連絡橋構造体の水位変化後の使用状態を示す模式的側面図である。
【００４７】
まず、図１を参照して、連絡橋構造体１０は、浮体式桟橋３と、岸壁５との間の通行に用いられるものであり、水面（海面）７が潮位の変化等（水位変化）によって変化することで、浮体式桟橋３と岸壁５との間の高低差の変化に追従できるように構成される。尚、以下では、説明の便宜上、水面７と岸壁５との高低差をｈ１とし、この高低差ｈ１からｈ２だけ水位が降下したときについて説明する。
【００４８】
連絡橋構造体１０は、浮体式桟橋３と岸壁５との間に架設される連絡橋１１と、連絡橋１１と浮体式桟橋３との間に設置される、気密性及び可撓性を有する袋体３０と、連絡橋１１が袋体３０に支持されるように、浮体式桟橋３と岸壁５との高低差に応じて袋体３０の内部に注入する気体の圧力を制御する制御手段としての空気圧調整装置４０とを備えている。
【００４９】
連絡橋１１は、連絡橋１１（橋梁）と浮体式桟橋３の上面とを架け渡すタラップ１５ａと、浮体式桟橋３において設置され連絡橋１１を支持する支柱１６ａと、連絡橋１１（橋梁）と岸壁５の上面とを架け渡すタラップ１５ｂと、岸壁５において設置され連絡橋１１を支持する支柱１６ｂとを備えている。タラップ１５ａ、支柱１６ａ、タラップ１５ｂ、及び支柱１６ｂは、それぞれ連絡橋１１に設けられる回動軸１２ａ、１３ａ、１２ｂ、及び１３ｂにおいて、連絡橋１１の昇降に応じて連絡橋１１に対して回動可能となっている。又、浮体式桟橋３側の支柱１６ａは、浮体式桟橋３において設置されている一方で、岸壁５側の支柱１６ｂは、岸壁５において設置されている。
【００５０】
袋体３０は、気密性及び可撓性を有しており、内部に空気等の気体を注入できるように構成される。袋体３０は、ゴム（天然ゴム、スチレンブタジエンゴム（ＳＢＲ）、クロロプレンゴム（ＣＲ）等）等の気密性及び可撓性を有する素材により構成することができる。
【００５１】
空気圧調整装置４０は、配管４１によって、袋体３０と接続されている。配管４１の空気圧調整装置４０側（すなわち上流）にはバルブ４２が設けられ、バルブ４２のさらに下流側には圧力計４３が取り付けられている。又、配管４１において、袋体３０側にもバルブ４４が設けられている。尚、配管４１内の圧力が袋体３０の許容引張応力に対応する圧力以下の所定値を超えないようにするため配管４１において安全弁を設けてもよい。又、同図では、浮体式桟橋３の内部に、配管４１、バルブ４２、圧力計４３、及びバルブ４４を示しているが、これは単に説明の便宜のためのものであり、どの位置にこれらの部材を設けるかは任意である。
【００５２】
袋体３０の内部に気体を注入する際には、バルブ４２及びバルブ４４をそれぞれ開状態にして、空気圧調整装置４０から気体が送り出される。そして圧力計４３によって、注入された気体が所定圧力に達したことが判明すると、バルブ４２を閉状態にして気体の注入作業が完了する。その後、空気圧調整装置４０による気体の送出を停止する。尚、この気体の注入作業は、作業員が圧力計４３を目視しながら手動で空気圧調整装置４０、バルブ４２、４４等を操作することによって行えばよいが、これらを自動化してもよい。
【００５３】
これにより、連絡橋１１は、水位変化前の高低差ｈ１のときにおいて、略水平の状態に支持されている。
【００５４】
続いて、図２を参照して、図１の状態から水位がｈ２だけ降下する場合、すなわち高低差が、ｈ１＋ｈ２となる場合、更に、空気圧調整装置４０から気体の注入作業を行って袋体３０を膨張させることで、連絡橋１１を追従させる。
【００５５】
具体的には、袋体３０の内部を所定圧力まで加圧することで袋体３０を膨張させて、連絡橋１１の岸壁５側を上昇させる。
【００５６】
これに伴い、岸壁５側では、連絡橋１１の上昇に伴って、支柱１６ｂが回動軸１３ｂを軸として連絡橋１１に対して回動するとともに、タラップ１５ｂが回動軸１２ｂを軸として連絡橋１１に対して回動して、岸壁５の上面との接触が維持される。
【００５７】
一方、浮体式桟橋３側では、連絡橋１１が、回動軸１３ａを軸として、支柱１６ａに対して回動するとともに、連絡橋１１が傾斜した分、浮体式桟橋３が岸壁５側に接近する。又、タラップ１５ａは、回動軸１２ａを軸として連絡橋１１に対して回動する。
【００５８】
このように構成すると、袋体３０の内部の気体の圧力により支持状態が変化するので、海面の潮位等の水位に応じた連絡橋１１の追従が容易となる。
【００５９】
ここで、図３を参照して、水位変化前後における袋体３０の内部の圧力と連絡橋の荷重の関係についてより具体的に説明する。
【００６０】
図３は、この発明の第１の実施の形態による連絡橋構造体のＫ−Ｋラインにおける水位変化前後の模式的拡大断面図である。（ａ）は、高低差がｈ１のときの連絡橋の状態（図１参照）を示しており、（ｂ）は、（ａ）の状態から水位がｈ２だけ降下したときの連絡橋の状態（図２参照）を示している。尚、袋体３０の断面視の形状は、荷重が加えられていない状態で、袋体３０の内部を加圧したときに円形状となるように構成されているものとする。
【００６１】
（ａ）を参照して、水位変化前、すなわち高低差ｈ１のときは、袋体３０の内部の圧力をＰ１とし、袋体３０に連絡橋１１の荷重Ｗが加わる。これにより袋体３０は水平方向に膨れ断面視の形状は扁平となる。又、このとき、連絡橋１１と袋体３０との接触面積をＡ１とすると、連絡橋１１から生じる荷重Ｗを支持するための袋体３０からの反力は、接触面積Ａ１と圧力Ｐ１との積により表すことができる。
【００６２】
（ｂ）を参照して、水位変化後、すなわち水位がｈ２だけ降下し、高低差がｈ１＋ｈ２となった場合、連絡橋１１を上昇させるため、袋体３０の内部の圧力はＰ１からＰ２に加圧される。このため、断面視の形状はより円形に近づく。又、このとき、連絡橋１１と袋体３０との接触面積が上記Ａ１よりも小さなＡ２となり、連絡橋１１から生じる荷重Ｗを支持するための袋体３０からの反力は、接触面積Ａ２と圧力Ｐ２との積により表すことができる。
【００６３】
このように、空気圧調整装置４０は、連絡橋１１から生じる荷重Ｗを支持するための袋体３０からの反力が袋体３０と連絡橋１１との所望の接触範囲で生じるように、注入する気体の圧力を制御する。尚、以下で説明する各実施の形態においても同様である。
【００６４】
このように構成すると、袋体３０の内圧による負荷（袋体３０の膜厚に加わる引張応力値）を制御できるため、袋体３０の耐久性を向上させることができる。
【００６５】
図４は、この発明の第２の実施の形態による連絡橋構造体の水位変化前の使用状態を示す模式的側面図であり、図５は、この発明の第２の実施の形態による連絡橋構造体の水位変化後の使用状態を示す模式的側面図である。尚、説明に当たっては、基本的には第１の実施の形態によるものと同一であるため、その相違点を中心に説明する。
【００６６】
まず、図４を参照して、この実施の形態による連絡橋構造体１０にあっては、複数の袋体３０ａ、３０ｂ及び３０ｃが、連絡橋１１と浮体式桟橋３との間において、連絡橋１１の長さ方向に並べて設置される。すなわち、連絡橋１１は、袋体３０ａ、３０ｂ及び３０ｃによって支持される。
【００６７】
空気圧調整装置４０は、配管４１によって、袋体３０ａ、３０ｂ及び３０ｃと接続されている。配管４１の空気圧調整装置４０側（すなわち上流）にはバルブ４２が設けられ、バルブ４２のさらに下流側には圧力計４３が取り付けられている。又、配管４１において、袋体３０ａ、３０ｂ及び３０ｃのそれぞれに対応するバルブ４４ａ、４４ｂ及び４４ｃを設けている。空気圧調整装置４０は、バルブ４４ａ、４４ｂ及び４４ｃをすべて開状態にすることで、袋体３０ａ、３０ｂ及び３０ｃの内圧を調節する。袋体３０ａ、３０ｂ及び３０ｃの内圧は、互いに同一になるように制御される。
【００６８】
同図では、袋体３０ａ、３０ｂ及び３０ｃは、連絡橋１１の高さが、高低差ｈ１に追従できる程度にそれぞれ圧力が調整されている（以下、高低差ｈ１に追従できる程度の圧力に調整されている状態を減圧状態と称する）。これにより袋体３０ａ、３０ｂ及び３０ｃは、略同一の高さで水平方向に膨らんでいる。
【００６９】
袋体３０ａ、３０ｂ及び３０ｃは、このように各袋体の内部を減圧したときに生じる水平方向への膨れに基づいて離間して配置される。具体的には、袋体３０ａ及び３０ｂは、減圧状態のときの水平方向への膨れにより互いに干渉しないように、それぞれの重心位置が距離ｄ１だけ離間するように配置される。又、袋体３０ｂ及び３０ｃは、減圧状態のときの水平方向への膨れにより互いに干渉しないように、それぞれの重心位置が距離ｄ２だけ離間するように配置される。
【００７０】
このように構成すると、減圧時に隣り合う袋体が水平方向の膨れによって干渉することを防ぐことができるため、干渉による袋体の変形により高さ制御の精度が低下することを防ぐことができる。
【００７１】
続いて、図５を参照して、図４の状態から水位がｈ２だけ降下する場合、すなわち、高低差が、ｈ１＋ｈ２となる場合、空気圧調整装置４０による気体の注入作業を行って袋体３０ａ、３０ｂ及び３０ｃをそれぞれ膨張させることで、連絡橋１１を追従させる。
【００７２】
図示するように、袋体３０ａ、３０ｂ及び３０ｃは、空気圧調整装置４０がそれぞれの内圧を同一の圧力まで加圧したときに、高低差に応じて連絡橋１１が傾斜するように、より岸壁５の近くに設置される袋体ほど、より高さが得られる形状を有する構成である。すなわち、袋体３０ａ、３０ｂ及び３０ｃの大きさは、この順に大きくなる。
【００７３】
このように構成すると、空気圧調整装置４０が、袋体３０ａ、３０ｂ及び３０ｃのそれぞれの内部を同一の圧力まで加圧すれば連絡橋１１が傾斜するため、高低差に追従するための制御が簡略化される。
【００７４】
図６は、この発明の第３の実施の形態による連絡橋構造体の水位変化前の使用状態を示す模式的側面図であり、図７は、この発明の第３の実施の形態による連絡橋構造体の水位変化後の使用状態を示す模式的側面図である。尚、説明に当たっては、基本的には第２の実施の形態によるものと同一であるため、その相違点を中心に説明する。
【００７５】
まず、これらの図を参照して、この実施の形態による連絡橋構造体１０にあっては、浮体式桟橋３において設置される発泡材５０が備えられており、発泡材５０の上に複数の袋体３０ａ、３０ｂ、３０ｃ及び３０ｄが、連絡橋１１と発泡材５０との間において、連絡橋１１の長さ方向に並べて設置される。すなわち、連絡橋１１は、発泡材５０の上に設置された袋体３０ａ、３０ｂ、３０ｃ及び３０ｄによって支持される。
【００７６】
発泡材５０は、発泡ポリスチレンのようなビーズ法発泡スチロール（ＥＰＳ；ｅｘｐａｎｄｅｄ  ｐｏｌｙｓｔｙｒｅｎｅ）などにより構成される。
【００７７】
又、空気圧調整装置４０は、配管４１によって、袋体３０ａ、３０ｂ、３０ｃ及び３０ｄと接続され、袋体３０ａ、３０ｂ、３０ｃ及び３０ｄの内圧を調整可能になっている。袋体３０ａ、３０ｂ、３０ｃ及び３０ｄの内圧は、互いに同一になるように制御される。
【００７８】
空気圧調整装置４０は、水位変化後、すなわち水位がｈ２だけ降下し、高低差がｈ１からｈ１＋ｈ２となった場合、連絡橋１１を上昇させるため、発泡材５０の上に設置された袋体３０ａ、３０ｂ、３０ｃ及び３０ｄの内圧を調整する。袋体の内圧の調整方法についてはすでに説明した通りであるので、ここではその説明を繰り返さない。
【００７９】
このように構成すると、袋体３０ａ、３０ｂ、３０ｃ及び３０ｄが発泡材５０の高さをベースとして設置されるため、連絡橋構造体１０全体の高さは、袋体３０ｄの高さと発泡材５０の高さとを合わせた高さになる。
【００８０】
袋体３０ａ、３０ｂ、３０ｃ及び３０ｄを小さくしても、発泡材５０の高さの分だけ嵩上げした高さを基準に高低差に追従できる。
【００８１】
図８は、この発明の第４の実施の形態による連絡橋構造体の水位変化前の使用状態を示す模式的側面図であり、図９は、この発明の第４の実施の形態による連絡橋構造体の水位変化後の使用状態を示す模式的側面図である。尚、説明に当たっては、基本的には第１の実施の形態によるものと同一であるため、その相違点を中心に説明する。
【００８２】
まず、図８を参照して、この実施の形態による連絡橋構造体１０にあっては、浮体式桟橋３に設置される第１連絡橋２１と、第１連絡橋２１と岸壁５との間に架設される第２連絡橋２２と、第１連絡橋２１と浮体式桟橋３との間に設置される袋体３１と、第２連絡橋２２と浮体式桟橋３との間に設置される袋体３２と、袋体３１及び３２の内部の圧力を調整するための空気圧調整装置４０とを備える構成である。
【００８３】
袋体３１及び３２は、袋体３０と同様であるので、ここではその説明を繰り返さない。
【００８４】
第１連絡橋２１は、浮体式桟橋３において第１連絡橋２１を支持する支柱２６を備える。すなわち、第１連絡橋２１は、支柱２６及び袋体３１によって支持されている。
【００８５】
第２連絡橋２２は、基本的に、第１の実施の形態における連絡橋１１と同様の構成であるが、支柱１６ａは、第１連絡橋２１に設置されており、タラップ１５ａは、第１連絡橋２１と第２連絡橋２２とを架け渡している。
【００８６】
空気圧調整装置４０は、配管４１によって、袋体３１及び３２と接続されている。配管４１の空気圧調整装置４０側（すなわち上流）にはバルブ４２が設けられ、バルブ４２のさらに下流側には圧力計４３が取り付けられている。又、配管４１において、袋体３１側にはバルブ４４ａが設けられ、袋体３２側にはバルブ４５が設けられている。これらのバルブ４４ａ及びバルブ４５を個別に開閉して、空気圧調整装置４０が、袋体３１及び３２の内圧を個別に調節できるように構成している。
【００８７】
空気圧調整装置４０は、第１連絡橋２１が袋体３１に支持されるように袋体３２の内部に注入する気体の圧力を制御する。又、空気圧調整装置４０は、第２連絡橋２２が袋体３２に支持されるように、浮体式桟橋３と岸壁５との高低差に応じて袋体３２の内部に注入する気体の圧力を制御する。気体の圧力の制御の仕方については、第１の実施の形態にて説明した通りであるので、ここでは説明を繰り返さない。
【００８８】
続いて、図９を参照して、水位がｈ２だけ降下して、高低差が、ｈ１＋ｈ２となる場合、空気圧調整装置４０が気体の注入作業を行って袋体３２を膨張させることで、第２連絡橋２１を追従させる。
【００８９】
このように構成すると、第１の実施の形態と同様、袋体３２の内部の気体の圧力により支持状態が変化するので、海面の潮位等の水位に応じた第２連絡橋２２の追従が容易となる。又、連絡橋構造体１０全体の高さは第１連絡橋２１及び第２連絡橋２２の高さを足したものになるため、連絡橋構造体１０全体の高さを大きくできる。このため、岸壁５との高低差が大きい場合でも対応可能となる。
【００９０】
図１０は、この発明の第５の実施の形態による連絡橋構造体の水位変化前の使用状態を示す模式的側面図であり、図１１は、この発明の第５の実施の形態による連絡橋構造体の水位変化後の使用状態を示す模式的側面図である。尚、説明に当たっては、基本的には第４の実施の形態によるものと同一であるため、その相違点を中心に説明する。
【００９１】
これらの図を参照して、この実施の形態による連絡橋構造体１０にあっては、第１連絡橋２１と浮体式桟橋３との間に複数の袋体から構成される袋体群３３が設置される。
【００９２】
尚、図示の便宜上、これらの図には示していないが、第４の実施の形態の場合と同様、空気圧調整装置４０は、配管によって、袋体群３３及び袋体３２と接続され、袋体群３３及び袋体３２の内圧を調整可能になっている。空気圧調整装置４０は、袋体群３３の内圧及び袋体３２の内圧をそれぞれ個別に調整できるようになっていてもよいし、一括で調整できるようになっていてもよい。又、空気圧調整装置４０は、袋体群３３に含まれる袋体の内圧をそれぞれ個別に調整できるようになっていてもよいし、一括で調整できるようになっていてもよい。
【００９３】
空気圧調整装置４０は、水位変化時、すなわち水位がｈ２だけ降下し、高低差がｈ１からｈ１＋ｈ２となる場合、連絡橋１１を傾斜した状態で支持するため、袋体３２の内圧を調整する。
【００９４】
又、袋体群３３に含まれる袋体及び袋体３２は、それぞれ、略円筒形状に構成され、略円筒形状の軸方向が、水平方向に沿う方向であって、岸壁５への接岸方向と垂直な方向になるように設置されていてもよい。
【００９５】
このように構成すると、軸方向の設置が安定するとともに高さの制御が容易となるため、連絡橋をより安定的に支持することができる。又、袋体群３３に含まれる袋体それぞれは、第４の実施の形態における袋体３１よりも小型化できるため、収納性や運搬性が向上する。又、袋体群３３に含まれる袋体のいずれかが破損した場合でも、取り換えや修繕が容易となる。
【００９６】
図１２は、この発明の第６の実施の形態による連絡橋構造体の使用状態を示す模式的側面図である。尚、説明に当たっては、基本的には第５の実施の形態によるものと同一であるため、その相違点を中心に説明する。
【００９７】
図１２を参照して、この実施の形態による連絡橋構造体１０にあっては、まず、第１連絡橋２１及び第２連絡橋２２が、それぞれ傾斜を調整可能なスロープを備える。
【００９８】
具体的には、第１連絡橋２１は、橋梁部１７と、橋梁部１７と図示しないヒンジによって回動可能に接続されるスロープ部１８と、スロープ部１８の下部において図示しないヒンジ部によって回動可能に接続されるベース部１９とを備える。又、第１連絡橋２１は、第１連絡橋２１と浮体式桟橋３との間に設置される袋体３１ａ、３１ｂ、３１ｃ及び３１ｄによって支持される。
【００９９】
又、第２連絡橋２２は、橋梁部２７と、橋梁部２７から岸壁５にかけて架け渡されるタラップ１５と、橋梁部２７と図示しないヒンジによって回動可能に接続されるスロープ部２８と、スロープ部２８の下部において図示しないヒンジ部によって回動可能に接続されるベース部２９とを備える。又、第２連絡橋２２は、第２連絡橋２１と浮体式桟橋３との間に設置される袋体３２と、第１連絡橋２１の橋梁部１７と第２連絡橋２２のスロープ部２８との間に設置される袋体３４と、によって支持される。
【０１００】
袋体３１ａ、３１ｂ、３１ｃ及び３１ｄ、並びに、袋体３２及び３４は、それぞれ、図示しない空気圧調整装置と配管４１により接続され、当該空気圧調整装置によって内圧を調整される。
【０１０１】
高低差が変化した場合は、第１連絡橋２１のスロープ部１８の傾斜が、袋体３１ａ、３１ｂ、３１ｃ及び３１ｄの内圧制御によって調整されるか、又は、第２連絡橋２２のスロープ部２８の傾斜が、袋体３２及び３４の内圧制御によって調整される。あるいは、第１連絡橋２１のスロープ部１８の傾斜及び第２連絡橋２２のスロープ部２８の傾斜の両方を調整しても構わない。
【０１０２】
このように、第１連絡橋２１のスロープ部１８の傾斜及び第２連絡橋２２のスロープ部２８の傾斜の少なくとも一方を調整できるようにすれば、連絡橋の形状を多様に変化させて傾斜を調整することができる。又、全袋体を減圧状態にした時、第１連絡橋２１及び第２連絡橋２２はコンパクトに折りたたまれるため、連絡橋構造体１０の収納性が向上する。
【０１０３】
図１３は、この発明の第７の実施の形態による連絡橋構造体の水位変化前の使用状態を示す模式的側面図であり、図１４は、この発明の第７の実施の形態による連絡橋構造体の水位変化後の使用状態を示す模式的側面図である。尚、説明に当たっては、基本的には第４の実施の形態によるものと同一であるため、その相違点を中心に説明する。
【０１０４】
これらの図を参照して、この実施の形態による連絡橋構造体１０にあっては、浮体式桟橋３において発泡材５０が設置される。
【０１０５】
発泡材５０は、浮体式桟橋３と第１連絡橋２１との間の高さに応じた厚みを有しており、第１連絡橋２１を支持し、更に第２連絡橋２２の下方まで延びる。
【０１０６】
又、発泡材５０の上に複数の袋体３２ａ及び３２ｂが、第２連絡橋２２の長さ方向に並べて設置される。すなわち、第２連絡橋２２は、発泡材５０の上に設置された袋体３２ａ及び３２ｂによって支持される。
【０１０７】
又、空気圧調整装置４０は、配管４１によって、袋体３２ａ及び３２ｂと接続され、袋体３２ａ及び３２ｂの内圧を調整可能になっている。袋体３２ａ及び３２ｂの内圧は、互いに同一になるように制御される。
【０１０８】
空気圧調整装置４０は、水位変化後、すなわち水位がｈ２だけ降下し、高低差がｈ１からｈ１＋ｈ２となった場合、連絡橋１１を上昇させるため、発泡材５０の上に設置された袋体３２ａ及び３２ｂの内圧を調整する。袋体の内圧の調整方法についてはすでに説明した通りであるので、ここではその説明を繰り返さない。
【０１０９】
このように構成すると、袋体３２ａ及び３２ｂが発泡材５０の高さをベースとして設置されるため、連絡橋構造体１０全体の高さは、袋体３２ｂの高さと発泡材５０の高さとを合わせた高さになる。
【０１１０】
袋体３２ａ及び３２ｂを小さくしても、発泡材５０の高さの分だけ嵩上げした高さにより高低差に追従できる。
【０１１１】
また、袋体３２ａ及び３２ｂは、それぞれの内部を同一の圧力まで加圧したときに、高低差に応じて第２連絡橋２２が傾斜するように、より岸壁５の近くに設置される袋体ほど、より高さが得られる形状を有する。すなわち、袋体３２ａよりも岸壁５の近くに設置される袋体３２ｂの大きさのほうが、同一内圧時に袋体３２ａよりも大きくなるように構成される。
【０１１２】
又、第２の実施の形態において説明したように、袋体３２ａ及び３２ｂは、内部を減圧したときに生じる水平方向への膨れに基づいて離間して配置してもよい。
【０１１３】
図１５は、この発明の第８の実施の形態による連絡橋構造体に係る袋体の形状を示す側面図である。
【０１１４】
図１５の（ａ）〜（ｃ）に示すように、袋体３５を蛇腹形状に構成しても構わない。
【０１１５】
（ａ）は、荷重がない状態において、蛇腹形状の袋体３５を減圧した場合を示しており、（ｂ）は、荷重がない状態において、蛇腹形状の袋体３５を加圧した場合を示している。
【０１１６】
（ａ）及び（ｂ）に示すように、蛇腹形状の袋体３５は、底板３５ａ、蛇腹本体３５ｂ及び天板３５ｃから構成される。底板３５ａ及び天板３５ｃは、例えば、鋼板から構成され、蛇腹本体４５は、これまで説明した袋体３０等と同様、ゴム（天然ゴム、スチレンブタジエンゴム（ＳＢＲ）、クロロプレンゴム（ＣＲ）等）等の可撓性を有する素材により構成することができる。尚、蛇腹形状の袋体３５を高さ方向（蛇腹の伸び方向）から見たときの形状は、例えば、円形状に構成することができるが、これに限られず、任意の形状を採用することができる。
【０１１７】
又、（ｃ）は、蛇腹形状の袋体３５が、浮体式桟橋３において連絡橋１１を支持した場合について示している。蛇腹形状の袋体３５は、蛇腹の伸び方向を鉛直方向に合わせて設置され、底板３５ａが、浮体式桟橋３に設置され、天板３５ｃにおいて連絡橋１１が支持される。蛇腹形状の袋体３５は、高低差に応じてその内圧が調整されることにより連絡橋１１を傾斜させる。
【０１１８】
このように構成すると、蛇腹形状の袋体３５の内部を加圧した場合において、水平方向の膨らみが抑えられ、縦方向に延びやすい構造が得られる。又、このように構成すると、天板３５ｃと連絡橋１１との接触面積（あるいは、底板３５ａと浮体式桟橋３との接触面積）が一定となるため、連絡橋の昇降の制御が容易となる。
【０１１９】
尚、以上の各実施の形態では説明しなかったが、連絡橋構造体の構造は上記のものに限られない。連絡橋が、袋体に支持され、袋体の内部の圧力が調整されることによって、昇降するものであれば、どのような構造のものを採用しても構わない。例えば、連絡橋構造体は、第１連絡橋、第２連絡橋及び第３連絡橋からなる３階建ての構造を有していてもよい。
【０１２０】
又、袋体の形状は以上の各実施の形態にて説明したものに限られない。袋体の形状は、連絡橋の荷重や高低差等に応じて任意のものを採用することができる。又、袋体は伸縮性を有するものであっても構わない。伸縮性を有する袋体を採用した場合、支持調整範囲がさらに広がる。
【０１２１】
更に、第１の実施の形態では水位の降下に伴い連絡橋１１が傾斜したとき、浮体式桟橋３が岸壁５側に接近することについて説明した。しかしながら、これに限られず、岸壁５と浮体式桟橋３との相対位置が変わらないように、岸壁５側の支柱１６ｂが浮体式桟橋３側に摺動するか、又は、浮体式桟橋３側の支柱１６ａが岸壁５側に摺動するような構成であってもよい。
【０１２２】
更に、第２の実施の形態では、空気圧調整装置４０が、連絡橋１１を支持する複数の袋体３０ａ、３０ｂ及び３０ｃの内部の圧力が同一の圧力となるよう制御することを説明したが、これに限られない。複数の袋体３０ａ、３０ｂ及び３０ｃそれぞれの内圧を個別に調整しても構わない。第３及び第７の実施形態についても同様である。
【符号の説明】
【０１２３】
３…浮体式桟橋
５…岸壁
７…水面
１０…連絡橋構造体
１１…連絡橋
２１…第１連絡橋
２２…第２連絡橋
３０、３０ａ〜３０ｄ、３１、３１ａ〜３１ｄ、３２、３４、３５…袋体
３３…袋体群
４０…空気圧調整装置
５０…発泡材
尚、各図中同一符号は同一又は相当部分を示す。
【図１】
0006422177.tif 000002
【図２】
0006422177.tif 000003
【図３】
0006422177.tif 000004
【図４】
0006422177.tif 000005
【図５】
0006422177.tif 000006
【図６】
0006422177.tif 000007
【図７】
0006422177.tif 000008
【図８】
0006422177.tif 000009
【図９】
0006422177.tif 000010
【図１０】
0006422177.tif 000011
【図１１】
0006422177.tif 000012
【図１２】
0006422177.tif 000013
【図１３】
0006422177.tif 000014
【図１４】
0006422177.tif 000015
【図１５】
0006422177.tif 000016